(57)【要約】【課題】移動体に搭載された撮像装置にレンズ部が正常に装着されていない状態で移動体が移動すると、不具合が生じる可能性がある。【解決手段】制御装置は、撮像装置を搭載して移動する移動体を制御する。制御装置は、撮像装置に着脱可能に装着されるレンズ部の撮像装置への装着状態が予め定められた条件を満たさない場合、移動体の移動を制限する制御部を備えてよい。【選択図】図４
2019022130.tif 000002
【特許請求の範囲】
【請求項１】
撮像装置を搭載して移動する移動体を制御する制御装置であって、
前記撮像装置に着脱可能に装着されるレンズ部の前記撮像装置への装着状態が予め定められた条件を満たさない場合、前記移動体の移動を制限する制御部を備える、制御装置。
【請求項２】
前記レンズ部の前記撮像装置への装着状態が前記予め定められた条件を満たすか否かを判定する判定部をさらに備え、
前記制御部は、前記判定部により前記レンズ部の前記撮像装置への装着状態が前記予め定められた条件を満たさないと判定された場合に、前記移動体の移動を制限する、請求項１に記載の制御装置。
【請求項３】
前記判定部は、前記移動体が移動を開始する前に、前記レンズ部の前記撮像装置への装着状態が前記予め定められた条件を満たすか否かを判定し、
前記制御部は、前記移動体が移動を開始する前に、前記判定部により前記レンズ部の前記撮像装置への装着状態が前記予め定められた条件を満たさないと判定された場合、前記移動体が移動を開始するのを制限する、請求項２に記載の制御装置。
【請求項４】
前記移動体は、無人航空機（ＵＡＶ）であり、
前記判定部は、前記ＵＡＶが飛行を開始する前に、前記レンズ部の前記撮像装置への装着状態が前記予め定められた条件を満たすか否かを判定し、
前記制御部は、前記ＵＡＶが飛行を開始する前に、前記判定部により前記レンズ部の前記撮像装置への装着状態が前記予め定められた条件を満たさないと判定された場合、前記ＵＡＶが飛行を開始するのを制限する、請求項２に記載の制御装置。
【請求項５】
前記判定部は、前記移動体が移動中に、前記レンズ部の前記撮像装置への装着状態が前記予め定められた条件を満たすか否かを判定し、
前記制御部は、前記移動体が移動中に、前記判定部により前記レンズ部の前記撮像装置への装着状態が前記予め定められた条件を満たさないと判定された場合、前記移動体の移動を制限する、請求項２に記載の制御装置。
【請求項６】
前記移動体は、無人航空機（ＵＡＶ）であり、
前記判定部は、前記ＵＡＶが飛行中に、前記レンズ部の前記撮像装置への装着状態が前記予め定められた条件を満たすか否かを判定し、
前記制御部は、前記ＵＡＶが飛行中に、前記判定部により前記レンズ部の前記撮像装置への装着状態が前記予め定められた条件を満たさないと判定された場合、前記ＵＡＶの飛行を制限する、請求項２に記載の制御装置。
【請求項７】
前記制御部は、前記ＵＡＶが飛行中に、前記判定部により前記レンズ部の前記撮像装置への装着状態が前記予め定められた条件を満たさないと判定された場合、前記ＵＡＶを着陸させる、請求項６に記載の制御装置。
【請求項８】
前記判定部は、前記移動体が移動中に、前記レンズ部の前記撮像装置への装着状態が前記予め定められた条件を満たすか否かを判定し、
前記制御部は、前記移動体が移動中に、前記判定部により前記レンズ部の前記撮像装置への装着状態が前記予め定められた条件を満たさないと判定された場合、前記レンズ部の前記撮像装置への装着状態が前記予め定められた条件を満たさないことを通知する、請求項２に記載の制御装置。
【請求項９】
前記移動体は、無人航空機（ＵＡＶ）であり、
前記ＵＡＶは、前記撮像装置を回転可能に支持する支持機構を有し、
前記判定部は、前記ＵＡＶが飛行中に、前記レンズ部の前記撮像装置への装着状態が前記予め定められた条件を満たすか否かを判定し、
前記制御部は、前記ＵＡＶが飛行中に、前記判定部により前記レンズ部の前記撮像装置への装着状態が前記予め定められた条件を満たさないと判定された場合、前記ＵＡＶの飛行を制限し、かつ前記支持機構による前記撮像装置の回転を制限する、請求項２に記載の制御装置。
【請求項１０】
前記判定部は、前記レンズ部が前記撮像装置にロックピンを介して機械的に固定されていない場合、前記レンズ部の前記撮像装置への装着状態が前記予め定められた条件を満たさないと判定する、請求項２に記載の制御装置。
【請求項１１】
前記判定部は、前記レンズ部が電気接点を介して前記撮像装置に電気的に接続されていない場合、前記レンズ部の前記撮像装置への装着状態が前記予め定められた条件を満たさないと判定する、請求項２に記載の制御装置。
【請求項１２】
前記判定部は、前記レンズ部が前記撮像装置にロックピンを介して機械的に固定され、かつ前記レンズ部が電気接点を介して前記撮像装置に電気的に接続されている場合、前記レンズ部の前記撮像装置への装着状態が前記予め定められた条件を満たすと判定する、請求項２に記載の制御装置。
【請求項１３】
請求項１から１２の何れか１つに記載の制御装置と、前記撮像装置とを備えて移動する移動体。
【請求項１４】
撮像装置を搭載して移動する移動体を制御する制御方法であって、
前記撮像装置に着脱可能に装着されるレンズ部の前記撮像装置への装着状態が予め定められた条件を満たさない場合、前記移動体の移動を制限する段階を備える、制御方法。
【請求項１５】
撮像装置を搭載して移動する移動体を、コンピュータに制御させるためのプログラムであって、
前記撮像装置に着脱可能に装着されるレンズ部の前記撮像装置への装着状態が予め定められた条件を満たさない場合、前記移動体の移動を制限する段階を前記コンピュータに実行させる、プログラム。
【発明の詳細な説明】
【技術分野】
【０００１】
本発明は、制御装置、移動体、制御方法、及びプログラムに関する。
【背景技術】
【０００２】
デジタルカメラが落下していることを検知すると、レンズ鏡筒を沈胴させることが記載されている。
特許文献１  特開２００８−２２０６０号公報
【発明の概要】
【発明が解決しようとする課題】
【０００３】
移動体に搭載された撮像装置にレンズ部が正常に装着されていない状態で移動体が移動すると、不具合が生じる可能性がある。
【課題を解決するための手段】
【０００４】
本発明の一態様に係る制御装置は、撮像装置を搭載して移動する移動体を制御する。制御装置は、撮像装置に着脱可能に装着されるレンズ部の撮像装置への装着状態が予め定められた条件を満たさない場合、移動体の移動を制限する制御部を備えてよい。
【０００５】
制御装置は、レンズ部の撮像装置への装着状態が予め定められた条件を満たすか否かを判定する判定部を備えてよい。制御部は、判定部によりレンズ部の撮像装置への装着状態が予め定められた条件を満たさないと判定された場合に、移動体の移動を制限してよい。
【０００６】
判定部は、移動体が移動を開始する前に、レンズ部の撮像装置への装着状態が予め定められた条件を満たすか否かを判定してよい。制御部は、移動体が移動を開始する前に、判定部によりレンズ部の撮像装置への装着状態が予め定められた条件を満たさないと判定された場合、移動体が移動を開始するのを制限してよい。
【０００７】
移動体は、無人航空機（ＵＡＶ）でよい。判定部は、ＵＡＶが飛行を開始する前に、レンズ部の撮像装置への装着状態が予め定められた条件を満たすか否かを判定してよい。制御部は、ＵＡＶが飛行を開始する前に、判定部によりレンズ部の撮像装置への装着状態が予め定められた条件を満たさないと判定された場合、ＵＡＶが飛行を開始するのを制限してよい。
【０００８】
判定部は、移動体が移動中に、レンズ部の撮像装置への装着状態が予め定められた条件を満たすか否かを判定してよい。制御部は、移動体が移動中に、判定部によりレンズ部の撮像装置への装着状態が予め定められた条件を満たさないと判定された場合、移動体の移動を制限してよい。
【０００９】
移動体は、無人航空機（ＵＡＶ）でよい。判定部は、ＵＡＶが飛行中に、レンズ部の撮像装置への装着状態が予め定められた条件を満たすか否かを判定してよい。制御部は、ＵＡＶが飛行中に、判定部によりレンズ部の撮像装置への装着状態が予め定められた条件を満たさないと判定された場合、ＵＡＶの飛行を制限してよい。
【００１０】
制御部は、ＵＡＶが飛行中に、判定部によりレンズ部の撮像装置への装着状態が予め定められた条件を満たさないと判定された場合、ＵＡＶを着陸させてよい。
【００１１】
判定部は、移動体が移動中に、レンズ部の撮像装置への装着状態が予め定められた条件を満たすか否かを判定してよい。制御部は、移動体が移動中に、判定部によりレンズ部の撮像装置への装着状態が予め定められた条件を満たさないと判定された場合、レンズ部の撮像装置への装着状態が予め定められた条件を満たさないことを通知してよい。
【００１２】
移動体は、無人航空機（ＵＡＶ）でよい。ＵＡＶは、撮像装置を回転可能に支持する支持機構を有してよい。判定部は、ＵＡＶが飛行中に、レンズ部の撮像装置への装着状態が予め定められた条件を満たすか否かを判定してよい。制御部は、ＵＡＶが飛行中に、判定部によりレンズ部の撮像装置への装着状態が予め定められた条件を満たさないと判定された場合、ＵＡＶの飛行を制限し、かつ支持機構による撮像装置の回転を制限してよい。
【００１３】
判定部は、レンズ部が撮像装置にロックピンを介して機械的に固定されていない場合、レンズ部の撮像装置への装着状態が予め定められた条件を満たさないと判定してよい。
【００１４】
判定部は、レンズ部が電気接点を介して撮像装置に電気的に接続されていない場合、レンズ部の撮像装置への装着状態が予め定められた条件を満たさないと判定してよい。
【００１５】
判定部は、レンズ部が撮像装置にロックピンを介して機械的に固定され、かつレンズ部が電気接点を介して撮像装置に電気的に接続されている場合、レンズ部の撮像装置への装着状態が予め定められた条件を満たすと判定してよい。
【００１６】
本発明の一態様に係る移動体は、上記制御装置と、撮像装置とを備えて移動する。
【００１７】
本発明の一態様に係る制御方法は、撮像装置を搭載して移動する移動体を制御する。制御方法は、撮像装置に着脱可能に装着されるレンズ部の撮像装置への装着状態が予め定められた条件を満たさない場合、移動体の移動を制限する段階を備えてよい。
【００１８】
本発明の一態様に係るプログラムは、撮像装置を搭載して移動する移動体を、コンピュータに制御させるためのプログラムでよい。プログラムは、撮像装置に着脱可能に装着されるレンズ部の撮像装置への装着状態が予め定められた条件を満たさない場合、移動体の移動を制限する段階をコンピュータに実行させてよい。
【００１９】
本発明の一態様によれば、移動体に搭載された撮像装置にレンズ部が正常に装着されていない状態で、移動体が移動した場合に不具合が生じることを防止できる。
【００２０】
なお、上記の発明の概要は、本発明の必要な特徴の全てを列挙したものではない。また、これらの特徴群のサブコンビネーションもまた、発明となりうる。
【図面の簡単な説明】
【００２１】
【図１】無人航空機及び遠隔操作装置の外観の一例を示す図である。
【図２】無人航空機の機能ブロックの一例を示す図である。
【図３Ａ】ロックピン及び電気接点について説明するための図である。
【図３Ｂ】ロックピン及び電気接点について説明するための図である。
【図３Ｃ】ロックピン及び電気接点について説明するための図である。
【図３Ｄ】ロックピン及び電気接点について説明するための図である。
【図４】レンズ部の撮像装置への装着状態に応じたＵＡＶの飛行制限の手順の一例を示すフローチャートである。
【図５】ハードウェア構成の一例を示す図である。
【発明を実施するための形態】
【００２２】
以下、発明の実施の形態を通じて本発明を説明するが、以下の実施の形態は特許請求の範囲に係る発明を限定するものではない。また、実施の形態の中で説明されている特徴の組み合わせの全てが発明の解決手段に必須であるとは限らない。以下の実施の形態に、多様な変更または改良を加えることが可能であることが当業者に明らかである。その様な変更または改良を加えた形態も本発明の技術的範囲に含まれ得ることが、特許請求の範囲の記載から明らかである。
【００２３】
特許請求の範囲、明細書、図面、及び要約書には、著作権による保護の対象となる事項が含まれる。著作権者は、これらの書類の何人による複製に対しても、特許庁のファイルまたはレコードに表示される通りであれば異議を唱えない。ただし、それ以外の場合、一切の著作権を留保する。
【００２４】
本発明の様々な実施形態は、フローチャート及びブロック図を参照して記載されてよく、ここにおいてブロックは、（１）操作が実行されるプロセスの段階または（２）操作を実行する役割を持つ装置の「部」を表わしてよい。特定の段階及び「部」が、プログラマブル回路、及び／またはプロセッサによって実装されてよい。専用回路は、デジタル及び／またはアナログハードウェア回路を含んでよい。集積回路（ＩＣ）及び／またはディスクリート回路を含んでよい。プログラマブル回路は、再構成可能なハードウェア回路を含んでよい。再構成可能なハードウェア回路は、論理ＡＮＤ、論理ＯＲ、論理ＸＯＲ、論理ＮＡＮＤ、論理ＮＯＲ、及び他の論理操作、フリップフロップ、レジスタ、フィールドプログラマブルゲートアレイ（ＦＰＧＡ）、プログラマブルロジックアレイ（ＰＬＡ）等のようなメモリ要素等を含んでよい。
【００２５】
コンピュータ可読媒体は、適切なデバイスによって実行される命令を格納可能な任意の有形なデバイスを含んでよい。その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【００２６】
コンピュータ可読命令は、１または複数のプログラミング言語の任意の組み合わせで記述されたソースコードまたはオブジェクトコードの何れかを含んでよい。ソースコードまたはオブジェクトコードは、従来の手続型プログラミング言語を含む。従来の手続型プログラミング言語は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、及び「Ｃ」プログラミング言語または同様のプログラミング言語でよい。コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供されてよい。プロセッサまたはプログラマブル回路は、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００２７】
図１は、無人航空機（ＵＡＶ）１０及び遠隔操作装置３００の外観の一例を示す。ＵＡＶ１０は、ＵＡＶ本体２０、ジンバル５０、複数の撮像装置６０、及び撮像装置１００を備える。ＵＡＶ１０は、推進部により推進される移動体の一例である。移動体とは、ＵＡＶの他、空中を移動する他の航空機などの飛行体、地上を移動する車両、水上を移動する船舶等を含む概念である。
【００２８】
ＵＡＶ本体２０は、複数の回転翼を備える。複数の回転翼は、推進部の一例である。ＵＡＶ本体２０は、複数の回転翼の回転を制御することでＵＡＶ１０を飛行させる。ＵＡＶ本体２０は、例えば、４つの回転翼を用いてＵＡＶ１０を飛行させる。回転翼の数は、４つには限定されない。また、ＵＡＶ１０は、回転翼を有さない固定翼機でもよい。
【００２９】
撮像装置１００は、所望の撮像範囲に含まれる被写体を撮像する撮像用のカメラである。ジンバル５０は、撮像装置１００を回転可能に支持する。ジンバル５０は、支持機構の一例である。例えば、ジンバル５０は、撮像装置１００を、アクチュエータを用いてピッチ軸で回転可能に支持する。ジンバル５０は、撮像装置１００を、アクチュエータを用いて更にロール軸及びヨー軸のそれぞれを中心に回転可能に支持する。ジンバル５０は、ヨー軸、ピッチ軸、及びロール軸の少なくとも１つを中心に撮像装置１００を回転させることで、撮像装置１００の姿勢を変更してよい。
【００３０】
複数の撮像装置６０は、ＵＡＶ１０の飛行を制御するためにＵＡＶ１０の周囲を撮像するセンシング用のカメラである。２つの撮像装置６０が、ＵＡＶ１０の機首である正面に設けられてよい。更に他の２つの撮像装置６０が、ＵＡＶ１０の底面に設けられてよい。正面側の２つの撮像装置６０はペアとなり、いわゆるステレオカメラとして機能してよい。底面側の２つの撮像装置６０もペアとなり、ステレオカメラとして機能してよい。複数の撮像装置６０により撮像された画像に基づいて、ＵＡＶ１０の周囲の３次元空間データが生成されてよい。ＵＡＶ１０が備える撮像装置６０の数は４つには限定されない。ＵＡＶ１０は、少なくとも１つの撮像装置６０を備えていればよい。ＵＡＶ１０は、ＵＡＶ１０の機首、機尾、側面、底面、及び天井面のそれぞれに少なくとも１つの撮像装置６０を備えてもよい。撮像装置６０で設定できる画角は、撮像装置１００で設定できる画角より広くてよい。撮像装置６０は、単焦点レンズまたは魚眼レンズを有してもよい。
【００３１】
遠隔操作装置３００は、ＵＡＶ１０と通信して、ＵＡＶ１０を遠隔操作する。遠隔操作装置３００は、ＵＡＶ１０と無線で通信してよい。遠隔操作装置３００は、ＵＡＶ１０に上昇、下降、加速、減速、前進、後進、回転などのＵＡＶ１０の移動に関する各種命令を示す指示情報を送信する。指示情報は、例えば、ＵＡＶ１０の高度を上昇させる指示情報を含む。指示情報は、ＵＡＶ１０が位置すべき高度を示してよい。ＵＡＶ１０は、遠隔操作装置３００から受信した指示情報により示される高度に位置するように移動する。指示情報は、ＵＡＶ１０を上昇させる上昇命令を含んでよい。ＵＡＶ１０は、上昇命令を受け付けている間、上昇する。ＵＡＶ１０は、上昇命令を受け付けても、ＵＡＶ１０の高度が上限高度に達している場合には、上昇を制限してよい。
【００３２】
図２は、ＵＡＶ１０の機能ブロックの一例を示す。ＵＡＶ１０は、ＵＡＶ制御部３０、メモリ３２、通信インタフェース３４、推進部４０、ＧＰＳ受信機４１、慣性計測装置４２、磁気コンパス４３、気圧高度計４４、ジンバル５０、撮像装置６０及び撮像装置１００を備える。
【００３３】
通信インタフェース３４は、遠隔操作装置３００などの他の装置と通信する。通信インタフェース３４は、遠隔操作装置３００からＵＡＶ制御部３０に対する各種の命令を含む指示情報を受信してよい。メモリ３２は、ＵＡＶ制御部３０が、推進部４０、ＧＰＳ受信機４１、慣性計測装置（ＩＭＵ）４２、磁気コンパス４３、気圧高度計４４、ジンバル５０、撮像装置６０、及び撮像装置１００を制御するのに必要なプログラム等を格納する。メモリ３２は、コンピュータ読み取り可能な記録媒体でよく、ＳＲＡＭ、ＤＲＡＭ、ＥＰＲＯＭ、ＥＥＰＲＯＭ、及びＵＳＢメモリ等のフラッシュメモリの少なくとも１つを含んでよい。メモリ３２は、ＵＡＶ本体２０の内部に設けられてよい。ＵＡＶ本体２０から取り外し可能に設けられてよい。
【００３４】
ＵＡＶ制御部３０は、メモリ３２に格納されたプログラムに従ってＵＡＶ１０の飛行及び撮像を制御する。ＵＡＶ制御部３０は、ＣＰＵまたはＭＰＵ等のマイクロプロセッサ、ＭＣＵ等のマイクロコントローラ等により構成されてよい。ＵＡＶ制御部３０は、通信インタフェース３４を介して遠隔操作装置３００から受信した命令に従って、ＵＡＶ１０の飛行及び撮像を制御する。推進部４０は、ＵＡＶ１０を推進させる。推進部４０は、複数の回転翼と、複数の回転翼を回転させる複数の駆動モータとを有する。推進部４０は、ＵＡＶ制御部３０からの命令に従って複数の駆動モータを介して複数の回転翼を回転させて、ＵＡＶ１０を飛行させる。
【００３５】
ＧＰＳ受信機４１は、複数のＧＰＳ衛星から発信された時刻を示す複数の信号を受信する。ＧＰＳ受信機４１は、受信された複数の信号に基づいてＧＰＳ受信機４１の位置、つまりＵＡＶ１０の位置を算出する。ＩＭＵ４２は、ＵＡＶ１０の姿勢を検出する。ＩＭＵ４２は、ＵＡＶ１０の姿勢として、ＵＡＶ１０の前後、左右、及び上下の３軸方向の加速度と、ピッチ、ロール、及びヨーの３軸方向の角速度とを検出する。磁気コンパス４３は、ＵＡＶ１０の機首の方位を検出する。気圧高度計４４は、ＵＡＶ１０が飛行する高度を検出する。気圧高度計４４は、ＵＡＶ１０の周囲の気圧を検出し、検出された気圧を高度に換算して、高度を検出する。
【００３６】
撮像装置１００は、撮像部１０２及びレンズ部２００を備える。レンズ部２００は、レンズ装置の一例である。撮像部１０２は、イメージセンサ１２０、撮像制御部１１０、及びメモリ１３０を有する。イメージセンサ１２０は、ＣＣＤまたはＣＭＯＳにより構成されてよい。イメージセンサ１２０は、複数のレンズ２１０を介して結像された光学像の画像データを撮像制御部１１０に出力する。撮像制御部１１０は、ＣＰＵまたはＭＰＵなどのマイクロプロセッサ、ＭＣＵなどのマイクロコントローラなどにより構成されてよい。撮像制御部１１０は、ＵＡＶ制御部３０からの撮像装置１００の動作命令に応じて、撮像装置１００を制御してよい。メモリ１３０は、コンピュータ可読可能な記録媒体でよく、ＳＲＡＭ、ＤＲＡＭ、ＥＰＲＯＭ、ＥＥＰＲＯＭ、及びＵＳＢメモリなどのフラッシュメモリの少なくとも１つを含んでよい。メモリ１３０は、撮像制御部１１０がイメージセンサ１２０などを制御するのに必要なプログラム等を格納する。メモリ１３０は、撮像装置１００の筐体の内部に設けられてよい。メモリ１３０は、撮像装置１００の筐体から取り外し可能に設けられてよい。
【００３７】
レンズ部２００は、複数のレンズ２１０、レンズ駆動部２１２、レンズ制御部２２０、及びメモリ２２２を有する。複数のレンズ２１０は、ズームレンズ、バリフォーカルレンズ、及びフォーカスレンズとして機能してよい。複数のレンズ２１０の少なくとも一部または全部は、光軸に沿って移動可能に配置される。レンズ部２００は、撮像部１０２に対して着脱可能に設けられる交換レンズでよい。レンズ制御部２２０は、撮像部１０２からのレンズ制御命令に従って、レンズ駆動部２１２を駆動して、１または複数のレンズ２１０を光軸方向に沿って移動させる。レンズ制御命令は、例えば、ズーム制御命令、及びフォーカス制御命令である。
【００３８】
撮像部１０２は、電気接点１４１を有し、レンズ部２００は、電気接点１４２を有する。撮像部１０２及びレンズ部２００は、電気接点１４１及び電気接点１４２を介して電気的に接続される。撮像部１０２は、ロックピン１５０を有する。レンズ部２００は、ロックピン１５０が挿入される挿入孔２０１を有する。ロックピン１５０が挿入孔２０１に挿入されることで、撮像部１０２とレンズ部２００とが機械的に固定される。
【００３９】
図３Ａは、撮像部１０２からレンズ部２００が取り外された状態を示す。この状態で、レンズ部２００が、撮像部１０２のマウント面１４４に対向して配置され、レンズ部２００が撮像部１０２のマウント面１４４に押し付けられて回転すると、図３Ｂに示すように、ロックピン１５０が押下されることで、ロックピン１５０がオンする。撮像部１０２は、ロックピン１５０が押下されることで、オンするスイッチを有してよい。このスイッチのオンオフを検知することで、撮像部１０２は、ロックピン１５０がオンしているか否かを判断してよい。レンズ部２００が撮像部１０２に対して予め定められた位置まで回転すると、図３Ｃに示すように、ロックピン１５０がレンズ部２００に設けられた挿入孔２０１に嵌り、かつ撮像部１０２の電気接点１４１とレンズ部２００の電気接点１４２とが電気的に接続される。ロックピン１５０が挿入孔２０１に嵌ると、レンズ部２００は撮像部１０２に対して回転せず、撮像部１０２とレンズ部２００とが機械的に固定される。レンズ部２００が撮像部１０２から取り外される場合には、図３Ｄに示すように、撮像部１０２に設けられたロック解除ボタン１５２が押下される。これにより、ロックピン１５０が挿入孔２０１から抜出される。ロックピン１５０が挿入孔２０１から抜出されると、撮像部１０２とレンズ部２００との機械的な固定が解除され、レンズ部２００が撮像部１０２に対して回転可能になる。レンズ部２００を撮像部１０２に対して予め定められた位置まで回転させると、レンズ部２００は撮像部１０２から取り外し可能になる。
【００４０】
以上のように構成された撮像装置１００において、レンズ部２００の撮像装置１００への装着が不十分である場合、何らかの不具合が生じる可能性がある。例えば、レンズ部２００の撮像装置１００への装着が不十分のまま、ＵＡＶ１０が飛行を開始すると、撮像装置１００による撮像に影響を与える可能性がある。また、ＵＡＶ１０が飛行中に、撮像装置１００に生じる振動で、レンズ部２００が撮像装置１００に正常に装着されていない状態になり、撮像装置１００による撮像に影響を与える可能性がある。
【００４１】
そこで、本実施形態に係るＵＡＶ１０によれば、レンズ部２００の撮像装置１００への装着状態が予め定められた条件を満たさない場合、ＵＡＶ１０の飛行を制限する。これにより、レンズ部２００の撮像装置１００への装着状態が予め定められた条件を満たさない場合に生じる不具合の発生を防止する。
【００４２】
上記のＵＡＶ１０の飛行の制限を実現すべく、ＵＡＶ制御部３０は、判定部３１及び飛行制御部３３を有する。飛行制御部３３は、制御部の一例である。判定部３１は、レンズ部２００の撮像装置１００への装着状態が予め定められた条件を満たすか否かを判定する。判定部３１は、レンズ部２００が撮像装置１００に対して予め定められた固定位置に機械的に接続されているか否かを判定してよい。判定部３１は、ＵＡＶが飛行を開始する前に、レンズ部２００の撮像装置１００への装着状態が予め定められた条件を満たすか否かを判定してよい。判定部３１は、ＵＡＶ１０が飛行中に、レンズ部２００の撮像装置１００への装着状態が予め定められた条件を満たすか否かを判定してよい。
【００４３】
判定部３１は、レンズ部２００が撮像装置１００にロックピン１５０を介して機械的に固定されていない場合、レンズ部２００の撮像装置１００への装着状態が予め定められた条件を満たさないと判定してよい。判定部３１は、ロックピン１５０が押下された状態、すなわちロックピン１５０がオンの場合に、レンズ部２００の撮像装置１００への装着状態が予め定められた条件を満たさないと判定してよい。
【００４４】
判定部３１は、レンズ部２００が電気接点１４１及び１４２を介して撮像装置１００に電気的に接続されていない場合、レンズ部２００の撮像装置１００への装着状態が予め定められた条件を満たさないと判定してよい。判定部３１は、レンズ部２００が撮像装置１００にロックピン１５０を介して機械的に固定され、かつレンズ部２００が電気接点１４１及び１４２を介して撮像装置１００に電気的に接続されている場合、レンズ部２００の撮像装置１００への装着状態が予め定められた条件を満たすと判定してよい。判定部３１は、ロックピン１５０が押下されていない状態、すなわち、ロックピン１５０がオフで、かつレンズ部２００が電気接点１４１及び１４２を介して撮像装置１００に電気的に接続されている場合、レンズ部２００の撮像装置１００への装着状態が予め定められた条件を満たすと判定してよい。
【００４５】
飛行制御部３３は、レンズ部２００の撮像装置１００への装着状態が予め定められた条件を満たさない場合、ＵＡＶ１０の飛行を制限する。飛行制御部３３は、ＵＡＶ１０が飛行を開始する前に、判定部３１によりレンズ部２００の撮像装置１００への装着状態が予め定められた条件を満たさないと判定された場合、ＵＡＶ１０が飛行を開始するのを制限してよい。飛行制御部３３は、ＵＡＶ１０が飛行中に、判定部３１によりレンズ部２００の撮像装置１００への装着状態が予め定められた条件を満たさないと判定された場合、ＵＡＶ１０の飛行を制限してよい。飛行制御部３３は、ＵＡＶ１０が飛行中に、判定部３１によりレンズ部２００の撮像装置１００への装着状態が予め定められた条件を満たさないと判定された場合、ＵＡＶ１０を着陸させてよい。飛行制御部３３は、ＵＡＶ１０が飛行中に、判定部３１によりレンズ部２００の撮像装置１００への装着状態が予め定められた条件を満たさないと判定された場合、予め定められた着陸領域に、ＵＡＶ１０を着陸させてよい。飛行制御部３３は、ＵＡＶ１０が飛行中に、判定部３１によりレンズ部２００の撮像装置１００への装着状態が予め定められた条件を満たさないと判定された場合、現在の位置から最も近い着陸可能な領域に、ＵＡＶ１０を着陸させてよい。
【００４６】
飛行制御部３３は、ＵＡＶ１０が飛行中に、判定部３１によりレンズ部２００の撮像装置１００への装着状態が予め定められた条件を満たさないと判定された場合、ジンバル５０による撮像装置１００の姿勢制御を制限してよい。飛行制御部３３は、ＵＡＶ１０が飛行中に、判定部３１によりレンズ部２００の撮像装置１００への装着状態が予め定められた条件を満たさないと判定された場合、ジンバル５０による撮像装置１００の回転を制限してよい。飛行制御部３３は、ＵＡＶ１０が飛行中に、判定部３１によりレンズ部２００の撮像装置１００への装着状態が予め定められた条件を満たさないと判定された場合、ジンバル５０による撮像装置１００の回転を禁止してよい。撮像装置１００が回転することで、レンズ部２００の撮像装置１００への装着状態がさらに悪化することを防止できる。
【００４７】
飛行制御部３３は、ＵＡＶ１０が飛行中に、判定部３１によりレンズ部２００の撮像装置１００への装着状態が予め定められた条件を満たさないと判定された場合、レンズ部２００の撮像装置１００への装着状態が予め定められた条件を満たさないことをユーザに通知してよい。飛行制御部３３は、ＵＡＶ１０が飛行中に、判定部３１によりレンズ部２００の撮像装置１００への装着状態が予め定められた条件を満たさないと判定された場合、安全な場所にＵＡＶ１０を着陸させるようにユーザに通知してよい。飛行制御部３３は、遠隔操作装置３００の表示部に、レンズ部２００の撮像装置１００への装着状態が予め定められた条件を満たさない旨を示すメッセージを表示することで、ユーザに通知してよい。飛行制御部３３は、ＵＡＶ１０が飛行中に、判定部３１によりレンズ部２００の撮像装置１００への装着状態が予め定められた条件を満たさないと判定された場合、緊急着陸を要請する警告メッセージを遠隔操作装置３００の表示部に表示することで、ユーザに通知してよい。
【００４８】
図４は、レンズ部２００の撮像装置１００への装着状態に応じたＵＡＶ１０の飛行制限の手順の一例を示すフローチャートである。
【００４９】
まず、判定部３１が、ロックピン１５０がオンかオフかを判定する（Ｓ１００）。ロックピン１５０がオフの場合、判定部３１は、電気接点１４１及び１４２がオンか否かを判定する（Ｓ１０２）。判定部３１は、電気接点１４１及び１４２が電気的に接続されているか否かを判定してよい。判定部３１は、電気接点１４１及び１４２がオフである場合、飛行制御部３３は、レンズ部２００が撮像装置１００に正常に装着されていない可能性があると判断して、ＵＡＶ１０が飛行中か否かを判定する（Ｓ１０４）。
【００５０】
ステップＳ１００の判定の結果、ロックピン１５０がオンであれば、飛行制御部３３は、レンズ部２００が撮像装置１００に正常に装着されていない可能性があると判断して、ＵＡＶ１０が飛行中か否かを判定する（Ｓ１０４）。
【００５１】
飛行制御部３３は、ステップＳ１０４において、回転翼を駆動する駆動モータが駆動中か否かにより、ＵＡＶ１０が飛行中か否かを判定してよい。ＵＡＶ１０が飛行中でなければ、すなわち、ＵＡＶ１０が飛行前であれば、飛行制御部３３は、ＵＡＶ１０の飛行の開始を禁止する（Ｓ１０６）。飛行制御部３３は、レンズ部２００が撮像装置１００に正常に装着されていない可能性があるので、例えば、撮像装置１００の飛行を開始できない旨を遠隔操作装置３００を介してユーザに通知してよい。飛行制御部３３は、レンズ部２００が撮像装置１００に正常に装着されるまで、撮像装置１００の飛行の開始を禁止してよい。
【００５２】
ステップＳ１０４の判定の結果、ＵＡＶ１０が飛行中であれば、飛行制御部３３は、ＵＡＶ１０の着陸制御を実行する（Ｓ１０８）。飛行制御部３３は、ＵＡＶ１０を予め定められた着陸領域に強制的に着陸させてよい。
【００５３】
ステップＳ１０２の判定の結果、電気接点１４１及び１４２がオンであれば、飛行制御部３３は、レンズ部２００が撮像装置１００に正常に装着されていると判断して、ＵＡＶ１０が飛行中か否かを判定する（Ｓ１１０）。ＵＡＶ１０が飛行中であれば、飛行制御部３３は、ＵＡＶ１０の飛行を制限することなく、ＵＡＶ１０の飛行を継続させる（Ｓ１１６）。ＵＡＶ１０が飛行中でなければ、すなわち、ＵＡＶ１０が飛行前であれば、飛行制御部３３は、ＵＡＶ１０の飛行の開始を許可する（Ｓ１１２）。そして、飛行制御部３３は、飛行が許可されたことをユーザに通知して、ユーザへの確認を行う（Ｓ１１４）。例えば、飛行制御部３３は、飛行が許可されたことを確認するためのボタンを遠隔操作装置３００に表示部に表示してよい。そして、飛行制御部３３は、ボタンが押下されたことを検知すると、ＵＡＶ１０の飛行を開始してよい。なお、飛行制御部３３は、ＵＡＶ１０の飛行の開始を許可した後、ユーザへの確認を行わずに、ＵＡＶ１０の飛行を開始してもよい。
【００５４】
以上の通り、本実施形態に係るＵＡＶ１０によれば、レンズ部２００の撮像装置１００への装着状態が予め定められた条件を満たさない場合、ＵＡＶ１０の飛行を制限する。これにより、レンズ部２００の撮像装置１００への装着状態が予め定められた条件を満たさない場合に生じる不具合の発生を未然に防ぐことができる。
【００５５】
図５は、本発明の複数の態様が全体的または部分的に具現化されてよいコンピュータ１２００の一例を示す。コンピュータ１２００にインストールされたプログラムは、コンピュータ１２００に、本発明の実施形態に係る装置に関連付けられるオペレーションまたは当該装置の１または複数の「部」として機能させることができる。または、当該プログラムは、コンピュータ１２００に当該オペレーションまたは当該１または複数の「部」を実行させることができる。当該プログラムは、コンピュータ１２００に、本発明の実施形態に係るプロセスまたは当該プロセスの段階を実行させることができる。そのようなプログラムは、コンピュータ１２００に、本明細書に記載のフローチャート及びブロック図のブロックのうちのいくつかまたはすべてに関連付けられた特定のオペレーションを実行させるべく、ＣＰＵ１２１２によって実行されてよい。
【００５６】
本実施形態によるコンピュータ１２００は、ＣＰＵ１２１２、及びＲＡＭ１２１４を含み、それらはホストコントローラ１２１０によって相互に接続されている。コンピュータ１２００はまた、通信インタフェース１２２２、入力／出力ユニットを含み、それらは入力／出力コントローラ１２２０を介してホストコントローラ１２１０に接続されている。コンピュータ１２００はまた、ＲＯＭ１２３０を含む。ＣＰＵ１２１２は、ＲＯＭ１２３０及びＲＡＭ１２１４内に格納されたプログラムに従い動作し、それにより各ユニットを制御する。
【００５７】
通信インタフェース１２２２は、ネットワークを介して他の電子デバイスと通信する。ハードディスクドライブが、コンピュータ１２００内のＣＰＵ１２１２によって使用されるプログラム及びデータを格納してよい。ＲＯＭ１２３０はその中に、アクティブ化時にコンピュータ１２００によって実行されるブートプログラム等、及び／またはコンピュータ１２００のハードウェアに依存するプログラムを格納する。プログラムが、ＣＲ−ＲＯＭ、ＵＳＢメモリまたはＩＣカードのようなコンピュータ可読記録媒体またはネットワークを介して提供される。プログラムは、コンピュータ可読記録媒体の例でもあるＲＡＭ１２１４、またはＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置または方法が、コンピュータ１２００の使用に従い情報のオペレーションまたは処理を実現することによって構成されてよい。
【００５８】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、またはＵＳＢメモリのような記録媒体内に提供される送信バッファ領域に格納された送信データを読み取り、読み取られた送信データをネットワークに送信し、またはネットワークから受信した受信データを記録媒体上に提供される受信バッファ領域等に書き込む。
【００５９】
また、ＣＰＵ１２１２は、ＵＳＢメモリ等のような外部記録媒体に格納されたファイルまたはデータベースの全部または必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００６０】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【００６１】
上で説明したプログラムまたはソフトウェアモジュールは、コンピュータ１２００上またはコンピュータ１２００近傍のコンピュータ可読記憶媒体に格納されてよい。また、専用通信ネットワークまたはインターネットに接続されたサーバーシステム内に提供されるハードディスクまたはＲＡＭのような記録媒体が、コンピュータ可読記憶媒体として使用可能であり、それによりプログラムを、ネットワークを介してコンピュータ１２００に提供する。
【００６２】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００６３】
１０  ＵＡＶ
２０  ＵＡＶ本体
３０  ＵＡＶ制御部
３１  判定部
３２  メモリ
３３  飛行制御部
３４  通信インタフェース
４０  推進部
４１  ＧＰＳ受信機
４２  慣性計測装置
４３  磁気コンパス
４４  気圧高度計
５０  ジンバル
６０  撮像装置
１００  撮像装置
１０２  撮像部
１１０  撮像制御部
１２０  イメージセンサ
１３０  メモリ
１４１，１４２  電気接点
１５０  ロックピン
１５２  ロック解除ボタン
２００  レンズ部
２０１  挿入孔
２１０  レンズ
２１２  レンズ駆動部
２２０  レンズ制御部
２２２  メモリ
３００  遠隔操作装置
１２００  コンピュータ
１２１０  ホストコントローラ
１２１２  ＣＰＵ
１２１４  ＲＡＭ
１２２０  入力／出力コントローラ
１２２２  通信インタフェース
１２３０  ＲＯＭ
【図１】
2019022130.tif 000003
【図２】
2019022130.tif 000004
【図３Ａ】
2019022130.tif 000005
【図３Ｂ】
2019022130.tif 000006
【図３Ｃ】
2019022130.tif 000007
【図３Ｄ】
2019022130.tif 000008
【図４】
2019022130.tif 000009
【図５】
2019022130.tif 000010
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
撮像装置を搭載して移動する移動体を制御する制御装置であって、
前記移動体が移動を開始する前に、前記撮像装置に着脱可能に装着されるレンズ部の前記撮像装置への装着状態が予め定められた条件を満たすか否かを判定する判定部と、
前記移動体が移動を開始する前に、前記判定部により前記レンズ部の前記撮像装置への装着状態が前記予め定められた条件を満たさないと判定された場合、前記移動体が移動を開始するのを制限する制御部を備える、制御装置。
【請求項２】
前記移動体は、無人航空機（ＵＡＶ）であり、
前記判定部は、前記ＵＡＶが飛行を開始する前に、前記レンズ部の前記撮像装置への装着状態が前記予め定められた条件を満たすか否かを判定し、
前記制御部は、前記ＵＡＶが飛行を開始する前に、前記判定部により前記レンズ部の前記撮像装置への装着状態が前記予め定められた条件を満たさないと判定された場合、前記ＵＡＶが飛行を開始するのを制限する、請求項１に記載の制御装置。
【請求項３】
前記判定部は、前記移動体が移動中に、前記レンズ部の前記撮像装置への装着状態が前記予め定められた条件を満たすか否かを判定し、
前記制御部は、前記移動体が移動中に、前記判定部により前記レンズ部の前記撮像装置への装着状態が前記予め定められた条件を満たさないと判定された場合、前記移動体の移動を制限する、請求項１または２に記載の制御装置。
【請求項４】
前記移動体は、無人航空機（ＵＡＶ）であり、
前記判定部は、前記ＵＡＶが飛行中に、前記レンズ部の前記撮像装置への装着状態が前記予め定められた条件を満たすか否かを判定し、
前記制御部は、前記ＵＡＶが飛行中に、前記判定部により前記レンズ部の前記撮像装置への装着状態が前記予め定められた条件を満たさないと判定された場合、前記ＵＡＶの飛行を制限する、請求項１に記載の制御装置。
【請求項５】
前記制御部は、前記ＵＡＶが飛行中に、前記判定部により前記レンズ部の前記撮像装置への装着状態が前記予め定められた条件を満たさないと判定された場合、前記ＵＡＶを着陸させる、請求項４に記載の制御装置。
【請求項６】
前記判定部は、前記移動体が移動中に、前記レンズ部の前記撮像装置への装着状態が前記予め定められた条件を満たすか否かを判定し、
前記制御部は、前記移動体が移動中に、前記判定部により前記レンズ部の前記撮像装置への装着状態が前記予め定められた条件を満たさないと判定された場合、前記レンズ部の前記撮像装置への装着状態が前記予め定められた条件を満たさないことを通知する、請求項１に記載の制御装置。
【請求項７】
前記移動体は、無人航空機（ＵＡＶ）であり、
前記ＵＡＶは、前記撮像装置を回転可能に支持する支持機構を有し、
前記判定部は、前記ＵＡＶが飛行中に、前記レンズ部の前記撮像装置への装着状態が前記予め定められた条件を満たすか否かを判定し、
前記制御部は、前記ＵＡＶが飛行中に、前記判定部により前記レンズ部の前記撮像装置への装着状態が前記予め定められた条件を満たさないと判定された場合、前記ＵＡＶの飛行を制限し、かつ前記支持機構による前記撮像装置の回転を制限する、請求項１に記載の制御装置。
【請求項８】
前記判定部は、前記レンズ部が前記撮像装置にロックピンを介して機械的に固定されていない場合、前記レンズ部の前記撮像装置への装着状態が前記予め定められた条件を満たさないと判定する、請求項１から７の何れか１つに記載の制御装置。
【請求項９】
前記判定部は、前記レンズ部が電気接点を介して前記撮像装置に電気的に接続されていない場合、前記レンズ部の前記撮像装置への装着状態が前記予め定められた条件を満たさないと判定する、請求項１から８の何れか１つに記載の制御装置。
【請求項１０】
前記判定部は、前記レンズ部が前記撮像装置にロックピンを介して機械的に固定され、かつ前記レンズ部が電気接点を介して前記撮像装置に電気的に接続されている場合、前記レンズ部の前記撮像装置への装着状態が前記予め定められた条件を満たすと判定する、請求項１に記載の制御装置。
【請求項１１】
請求項１から１０の何れか１つに記載の制御装置と、前記撮像装置とを備えて移動する移動体。
【請求項１２】
撮像装置を搭載して移動する移動体を制御する制御方法であって、
前記移動体が移動を開始する前に、前記撮像装置に着脱可能に装着されるレンズ部の前記撮像装置への装着状態が予め定められた条件を満たすか否かを判定する段階と、
前記移動体が移動を開始する前に、前記レンズ部の前記撮像装置への装着状態が前記予め定められた条件を満たさないと判定された場合、前記移動体が移動を開始するのを制限する段階を備える、制御方法。
【請求項１３】
請求項１から１０の何れか１つに記載の制御装置としてコンピュータを機能させるためのプログラム。